(57)【要約】【課題】記録媒体に記録された番組の内容を確実に確認できるようにする。【解決手段】映像／音声記録手段１３に記録される番組の映像信号を、画像キャプチャ／圧縮手段２０で所定タイミングで区切って抽出し、抽出した画像情報を小画面情報を構成するように圧縮して小画面情報記憶手段２１に時系列に順次記憶すると共に、抽出した画像情報に対応する音声信号を併せて記録し、小画面情報記憶手段２１に記憶された小画面情報を読出して複数の画面情報を１画面に表示させ、さらに表示された複数の小画面情報をカーソルで選択することでその画面に対応する音声信号を読出して音声として出力することで、記録された番組の内容を確実に確認できるように構成した。【選択図】　　　図２
2004064581.tif 000002
【特許請求の範囲】
【請求項１】
放送番組を構成する映像信号及び音声信号を記録媒体に記録する記録手段と、
記憶手段と、
前記記録媒体に記録された番組の前記映像信号を所定時間間隔で区切って抽出し、該抽出した映像信号を複数の映像が同一画面に表示可能となるように圧縮して前記記憶手段に記憶すると共に、前記抽出した映像信号に対応する前記音声信号を前記記憶手段に記憶し、記憶された映像信号を読み出す制御手段と、
前記制御手段によって記憶手段から読み出された前記映像信号を、複数の映像信号が一画面に表示されるように表示する表示手段と、
前記表示手段に表示された複数の映像信号の一つを選択する手段と、
前記選択された映像信号に対応する音声信号を前記記憶手段から読出して再生する再生手段と、
を具備したことを特徴とする放送番組記録再生装置。
【請求項２】
前記制御手段は、前記記録手段が前記放送番組を記録している際に、当該放送番組の前記映像信号を抽出して圧縮する処理を行なうものであることを特徴とする請求項１に記載の放送番組記録再生装置。
【請求項３】
さらに、前記記録手段に記録された映像信号及び音声信号を再生する手段を含み、前記制御手段は、前記再生された映像信号を抽出して圧縮する処理を行なうものであることを特徴とする請求項１に記載の放送番組記録再生装置。
【請求項４】
前記制御手段は、前記番組の映像信号から抽出した全ての映像信号が同一画面表示可能となるように圧縮するものであることを特徴とする請求項１に記載の放送番組記録再生装置。
【請求項５】
前記再生手段は、前記複数の映像信号間の前記音声信号を連続して再生するものであることを特徴とする請求項１に記載の放送番組記録再生装置。
【請求項６】
放送番組を構成する映像信号及び音声信号を記録媒体に記録する記録手段と、
記憶手段と、
前記記録媒体に記録された番組の前記映像信号を所定時間間隔で区切って抽出し、該抽出した映像信号を複数の映像が同一画面に表示可能となるように圧縮して前記記憶手段に記憶すると共に、記憶された映像信号を読み出す制御手段と、
前記制御手段によって記憶手段から読み出された前記映像信号を、複数の映像信号が一画面に表示されるように表示する表示手段と、
前記表示手段に表示された複数の映像信号の一つを選択する手段と、
前記記録手段に記録された番組を前記選択された映像信号に対応する部分から再生する再生手段と、
を具備したことを特徴とする放送番組記録再生装置。
【請求項７】
前記制御手段は、前記記録手段が前記放送番組を記録している際に、当該放送番組の前記映像信号を抽出して圧縮する処理を行なうものであることを特徴とする請求項６に記載の放送番組記録再生装置。
【請求項８】
さらに、前記記録手段に記録された映像信号及び音声信号を再生する手段を含み、前記制御手段は、前記再生された映像信号を抽出して圧縮する処理を行なうものであることを特徴とする請求項６に記載の放送番組記録再生装置。
【請求項９】
前記制御手段は、前記番組の映像信号から抽出した全ての映像信号が同一画面表示可能となるように圧縮するものであることを特徴とする請求項６に記載の放送番組記録再生装置。
【請求項１０】
放送番組を構成する映像信号及び音声信号を記録媒体に記録するステップと、
前記記録媒体に記録された番組の前記映像信号を所定時間間隔で区切って抽出し、該抽出した映像信号を複数の映像が同一画面に表示可能となるように圧縮して記憶すると共に、前記抽出した映像信号に対応する前記音声信号を記憶するステップと、
前記記憶手段から前記映像信号を、複数の映像信号が一画面に表示されるように読出して表示するステップと、
前記複数の映像信号の一つを選択するステップと、
前記選択された映像信号に対応する音声信号を前記記憶手段から読出して再生するステップと、
を具備したことを特徴とする放送番組記録再生方法。
【請求項１１】
放送番組を構成する映像信号及び音声信号を記録媒体に記録するステップと、
前記記録媒体に記録された番組の前記映像信号を所定時間間隔で区切って抽出し、該抽出した映像信号を複数の映像が同一画面に表示可能となるように圧縮して記憶手段に記憶すると共に、記憶された映像信号を複数の映像信号が同一画面に表示されるように読み出すステップと、
前記記憶手段から読み出された前記映像信号を、複数の映像信号が一画面に表示されるように表示するステップと、
前記表示手段に表示された複数の映像信号の一つを選択するステップと、
前記記録媒体に記録された番組を、前記選択された映像信号に対応する部分から再生するステップと、
を具備したことを特徴とする放送番組記録再生方法。
【発明の詳細な説明】
【０００１】
【発明の属する技術分野】
本発明は、放送番組の記録再生装置に関し、特に記録された番組内容を簡単にかつ確実に確認できるようにした放送番組の記録再生装置及び記録再生方法に関する。
【０００２】
【従来の技術】
従来、放送番組を記録する装置としては、ＶＴＲ（Ｖｉｄｅｏ　Ｔａｐｅ　Ｒｅｃｏｒｄｅｒ）が一般に使用されているが、昨今では、ＨＤＤ（Ｈａｒｄ　Ｄｉｓｋ　Ｄｒｉｖｅ）が、アクセス速度が高速度化され、記録容量も大容量化されたことにより、ＨＤＤを記録媒体とした放送番組の記録再生装置が商品化されつつある。
【０００３】
ＨＤＤを記録媒体として適用した装置においては、長時間の放送番組の記録が可能であり、ＶＴＲのように、録画予約によって録画する番組を選択するような使い方ではなく、所定の期間、放送番組をそのまま垂れ流し的に録画しておいて、後で、視聴したい番組のみを選択して視聴するというような使われ方がされることが予測される。
【０００４】
視聴者は、ＨＤＤに記録された膨大な番組を早送り再生等の機能を使って画面表示してその内容を確認し、真に視聴したい番組を選択する作業を行なう必要があり記録容量が多くなればなるほどその作業に要する時間が増えて取り扱いが不便になるという問題を有している。
【０００５】
記録媒体に記録された番組内容を短時間で確認したいという要求は、従来から根強く、種々の提案がなされている。例えば特開２００２−２７４１０号には、記録しようとする映像信号から代表画面を抽出して記録媒体に記録すると共に、抽出した画面に対して評価値を付与し、その評価値に基づいて記録媒体に記録した代表画面の数を間引くようにした提案が示されている。
【０００６】
この文献に記載された技術は、再生の際に代表画面を間引くという処理が必要で、そのために装置の構成が複雑になり、迅速な動作が期待できない。記録された番組の内容を確認するための装置としては、必ずしも最適な装置であるとは言えない。
【０００７】
【発明が解決しようとする課題】
以上のように、従来、放送番組を記録し再生する装置において、再生の前に、記録した番組の内容を確認したい要求があるが、コストパフォーマンスの点で、満足のできる装置がなく、より簡単で確実に記録内容を確認できる装置の実現が待望されている。
【０００８】
本発明は、以上の点に対処してなされたものであり、簡単な構成により、記録内容を確認することができる記録再生装置及び記録再生方法を提供することを目的とする。
【０００９】
【課題を解決するための手段】
本発明の放送番組記録再生装置は、放送番組を構成する映像信号及び音声信号を記録媒体に記録する記録手段と、記憶手段と、前記記録媒体に記録された番組の前記映像信号を所定時間間隔で区切って抽出し、該抽出した映像信号を複数の映像が同一画面に表示可能となるように圧縮して前記記憶手段に記憶すると共に、前記抽出した映像信号に対応する前記音声信号を前記記憶手段に記憶し、記憶された映像信号を読み出す制御手段と、前記制御手段によって記憶手段から読み出された前記映像信号を、複数の映像信号が一画面に表示されるように表示する表示手段と、前記表示手段に表示された複数の映像信号の一つを選択する手段と、
【００１０】
前記選択された映像信号に対応する音声信号を前記記憶手段から読出して再生する再生手段と、を具備したことを特徴とする。
本発明によれば、記録された内容を複数の画面の一覧表示と、表示さそれ映像に関連する音声とで確認することができるため短時間で確実に記録内容を確認することができるものである。
本発明の放送番組記録再生装置は、放送番組を構成する映像信号及び音声信号を記録媒体に記録する記録手段と、記憶手段と、前記記録媒体に記録された番組の前記映像信号を所定時間間隔で区切って抽出し、該抽出した映像信号を複数の映像が同一画面に表示可能となるように圧縮して前記記憶手段に記憶すると共に、記憶された映像信号を読み出す制御手段と、前記制御手段によって記憶手段から読み出された前記映像信号を、複数の映像信号が一画面に表示されるように表示する表示手段と、前記表示手段に表示された複数の映像信号の一つを選択する手段と、前記記録手段に記録された番組を前記選択された映像信号に対応する部分から再生する再生手段と、を具備したことを特徴とする。
【００１１】
本発明によれば、記録媒体に記録した番組の各シーンを確認でき、所望のシーン部分から再生させることができるものである。
本発明の放送番組記録再生方法は、放送番組を構成する映像信号及び音声信号を記録媒体に記録するステップと、前記記録媒体に記録された番組の前記映像信号を所定時間間隔で区切って抽出し、該抽出した映像信号を複数の映像が同一画面に表示可能となるように圧縮して記憶すると共に、前記抽出した映像信号に対応する前記音声信号を記憶するステップと、前記記憶手段から前記映像信号を、複数の映像信号が一画面に表示されるように読出して表示するステップと、前記複数の映像信号の一つを選択するステップと、前記選択された映像信号に対応する音声信号を前記記憶手段から読出して再生するステップと、を具備したことを特徴とする。
【００１２】
本発明によれば、記録された内容を複数の画面の一覧表示と、表示さそれ映像に関連する音声とで確認することができるため短時間で確実に記録内容を確認することができるものである。
本発明の放送番組記録再生方法は、放送番組を構成する映像信号及び音声信号を記録媒体に記録するステップと、前記記録媒体に記録された番組の前記映像信号を所定時間間隔で区切って抽出し、該抽出した映像信号を複数の映像が同一画面に表示可能となるように圧縮して記憶手段に記憶すると共に、記憶された映像信号を複数の映像信号が同一画面に表示されるように読み出すステップと、前記記憶手段から読み出された前記映像信号を、複数の映像信号が一画面に表示されるように表示するステップと、前記表示手段に表示された複数の映像信号の一つを選択するステップと、前記記録媒体に記録された番組を、前記選択された映像信号に対応する部分から再生するステップと、を具備したことを特徴とする。
【００１３】
本発明によれば、記録媒体に記録した番組の各シーンを確認でき、所望のシーン部分から再生させることができるものである。
【００１４】
【発明の実施の形態】
以下、図面を参照しながら本発明の実施の形態を詳細に説明する。
図１は、本発明の放送番組記録再生装置１０の一実施の形態を示すブロック図である。
入力端子１１は、記録用の音声信号が供給される端子であり、入力端子１２は記録用の映像信号が供給される端子である。
入力端子１１に供給された音声信号は、ＨＤＤを記録媒体とする映像／音声記録手段１３に供給される。入力端子１２に供給された映像信号もまた、映像／音声記録手段１３に供給される。
映像／音声記録手段１３に供給された映像信号及び音声信号は、書込み／読出し制御手段１４の制御の下に、映像／音声記録手段１３に記録される。
この記録動作は、ユーザによって操作される入力手段１５からの信号を制御部１６が判断して、制御号を書込み／読出し制御手段１４に供給し、書込み／読出し制御手段１４によって、映像／音声記録手段１３を駆動することで実行される。
映像／音声記録手段１３に記録された映像信号及び音声信号の再生も入力手段１５からの信号によって制御部１６から制御信号を書込み／読出し制御手段１４に供給し、書込み／読出し制御手段１４によって、映像／音声記録手段１３が駆動されることで実行される。
【００１５】
映像／音声記録手段１３から再生された映像信号は、表示選択手段１７を介して再生モニタ１８に供給されて陰極線管等の表示手段で表示される。また、映像／音声記録手段１３から再生された音声信号は、音声選択手段１９を介して再生モニタ１８に供給されてスピーカ等の出力手段によって出力される。
【００１６】
以上述べた記録再生を行なうための構成及びその動作は、極めて一般的なものであり、本発明はそれをベースにして、記録された番組の内容を確認するための構成が付加されている。
すなわち、入力端子１２に供給された映像信号は、映像／音声記録手段１３に供給されると共に、画像キャプチャ／圧縮手段２０に供給され、ここで、映像／音声記録手段１３に記録される番組の特定シーンの画像が抽出され、さらに圧縮処理が行なわれて小画面情報記憶手段２１に供給されて記憶される。
【００１７】
画像キャプション／圧縮手段２０による特定シーンの画像抽出は、入力手段１５の操作によって入力されて、制御部１６を介して番組放送時間／の枚数設定手段２２に記憶された番組放送時間と設定された枚数情報によってそのタイミングが決定される。
【００１８】
すなわち、その番組の内容を認識するに必要であろうという画像の枚数を決定し、その枚数の画像を抽出するタイミングが設定されるもので、例えば、１時間番組であった場合に、必要枚数を予め３０と決めておけば、抽出タイミングは２分周期ということになる。
【００１９】
ユーザは、予め、新聞等によって放送時間を調べて、入力手段１５を操作して、番組の放送時間を入力する。抽出する画像の枚数は、ユーザが所望の数値を入力してもよいし、あるいは放送時間との関係で一義的に決定されるように構成してもよい。
【００２０】
実際の、放送番組の記録は、入力手段１５をユーザが操作することで実行させてもよいし、あるいは、図示しない周知のタイマー録画予約手段によって起動されるように構成することも可能である。
それによって、番組の放送時間に沿って、映像／音声記録手段１３への番組の記録が開始される。さらに、画像キャプチャ／圧縮手段２０は、制御部１６の制御の下、番組放送時間／枚数設定手段２２に記憶された情報に基づくタイミングで、画像情報を抽出し、その画像情報を、複数の画像が同じ画面で表示されるように圧縮して出力する。
【００２１】
画像キャプチャ／圧縮手段２０で圧縮されて出力された小画面情報は、小画面情報記憶手段２１に供給されて、制御部１６の制御の下に、当該記憶手段２１に記憶される。
また、入力端子１１に供給された音声信号は、音声圧縮手段２３に導かれ、制御部１６の制御の下、この音声圧縮部２２で所定の圧縮処理が施されて小画面情報記憶手段２１に供給される。小画面情報記憶手段２１に供給された圧縮音声信号は、制御部１６からの制御信号によって、抽出された画像に対応する音声情報として所定のアドレスに記憶される。音声の圧縮処理は、例えば、間引き処理であり、そのまま読み出しても音声として認識できるように処理されるものである。
【００２２】
音画像キャプチャ／圧縮手段２０及び音声信号圧縮手段２３による処理と、圧縮された信号の小画面情報記憶手段２１への記憶処理は、放送番組の映像／音声記録手段１３への記録と平行して行なわれる。
図２は、画像キャプチャ／圧縮手段２０での画像抽出タイミングと、抽出した画像を小画面情報として圧縮した状態を示すものであり、図２（ａ）に示すように、１時間番組であった場合、２分間隔で画像が抽出され、抽出された画像が図２（ｂ）に示すように、再生モニタの表示画面の垂直方向に１／５、水平方向に１／６の大きさの小画面情報として圧縮され、表示画面の左上隅の位置から順番に時系列で小画面情報記憶手段２１に記憶される。
【００２３】
次に、小画面情報記憶手段２１に記憶された情報によって映像／音声記録手段１３に記録された番組内容を確認する手順について説明する。
ユーザは、入力手段１５を操作して、制御部１６を介して小画面情報記憶手段２１に対して小画面一覧を出力するためのリクエスト信号を供給する。それによって小画面情報記憶手段２１から図２（ｂ）に示す内容の信号が出力され、表示選択手段１７に供給される。リクエスト信号と同時に、制御部１６から表示選択手段１７と音声選択手段１９に切換信号が供給されて、それぞれ小画面情報記憶手段２１からの信号を選択するように切換えられる。
【００２４】
その結果、小画面情報記憶手段２１から出力された映像信号が、表示選択手段１７を経て表示モニタ１８に供給されて表示される。
表示画面は、例えば図２（ｂ）に示すものとなり、ユーザは、入力手段１５を操作して制御部１６からカーソルを制御するための信号を小画面情報記憶手段２１に供給する。図２（ｂ）では、斜線によって１番目の画像情報の部分にカーソル３１があることを示している。この状態は、初期状態であり、入力手段１５の操作によって、カーソル３１を順次移動させることが可能である。
【００２５】
次に、入力手段１５の操作によって、制御部１６からリクエスト信号を送り、カーソル３１が存在する画像情報に関連する音声情報を読出して音声選択手段１９を介して再生モニタ１８に送り、音声を出力する。
入力手段１５を操作して、カーソルを移動させることによって、移動した画像情報に関連する音声を再生することができる。
ユーザは、表示された画像情報と音声とから番組の内容を容易に確認することができる。
小画面情報記憶手段２１に記憶された画像情報と、映像／音声記憶手段１３に記録された番組は、当然ながら、リンクしており、入力手段１５を操作することでカーソルが存在する画像部分を開始点として、映像／音声記憶手段１３から番組を再生することができる。
【００２６】
さらに、カーソルが存在する画像部分の先頭部分から、次の画像の先頭部分（カーソル存在する画像部分の後端）までの音声を連続的に再生して音声出力することでさらに番組内容を明確に確認することができるようになる。
図３は、その状態を説明する図であり、図３（ａ）において、１６番目の画像の先端から１７番目の画像の先端までの音声を再生することができる。
以上のように、本発明の放送番組記録装置によれば、映像／記録再生手段１３に記録された番組を所定時間間隔で一覧画面で見ることができ、さらにその画面に関連した音声を聞くことができるため、記録内容を容易に確認することができるものである。
【００２７】
図４は、以上説明した動作をフローチャートで示すものである。
図４において、ステップ４ａで開始され、ステップ４ｂで番組時間情報が設定され、さらにステップ４ｃで抽出する画像の枚数が設定される。
次いで、ステップ４ｄで画像キャプチャのタイミングが算出され、ステップ４ｅで算出されたタイミングに基づいて画像のキャプチャとその画像の小画面情報への圧縮処理が行なわれる。次いで、ステップ４ｆで圧縮された画像情報の、小画面情報記憶手段への記憶が実行される。さらに、抽出された画像に関連する音声が、ステップ４ｇで圧縮され小画面情報記憶手段へ記憶される。
【００２８】
次に、ステップ４ｈで小画面情報記憶手段から情報の読出しが行なわれ、ステップ４ｉで全ての小画面情報を画面表示し、ステップ４ｊでユーザが所望の小画面情報をカーソルで選択する。さらに、ステップ４ｋで選択された小画面情報の次の小画面情報まで、音声を再生し、ステップ４ｌで終了となる。
【００２９】
また、ステップ４ｅによる画像キャプチャ／圧縮処理と平行してステップ４ｍで番組の、映像／音声記録手段への記録が実行され、番組の放送終了で、ステップ４ｎにより終了となる。
図５は、本発明の番組記録装置の他の実施の態様を示すブロック図である。図において、図１に示す装置と同じ構成部分には同じ番号を付して詳細な説明は省略する。
図１に示す装置では、映像／音声記録手段１３への番組の記録と、小画面情報の記憶とを平行して行なうように構成したが、必ずしも同時に行なう必要はなく、映像／音声記録手段１３への記録を完了した後で、記録した番組を再生し、再生信号を画像キャプチャ／圧縮手段２０で画像キャプチャ及び圧縮して小画面情報記憶手段２１に記憶するようにしてもよい。同時にキャプチャ画像に関連する再生された音声信号を圧縮して小画面情報記憶手段２１に記憶するようにする。
【００３０】
図５に示す記録再生装置５０においては、その制御は、制御部５１によって行なわれ、ユーザは入力手段５２の操作によって、それらの制御を行なう。
図６のフローチャートで、図５に示す装置の動作をさらに説明する。
ステップ６ａで開始され、ステップ６ｂで放送番組の映像／音声記録手段への記録が実行され、ステップ６ｃで番組時間情報が設定され、さらにステップ６ｄで抽出する画像の枚数が設定される。
次いで、ステップ６ｅで画像キャプチャのタイミングが算出され、ステップ６ｆで、映像／音声記録手段からの再生が実行される。次のステップ６ｇで、ステップ６ｅで算出されたタイミングに基づいて画像のキャプチャとその小画面情報への圧縮処理が行なわれる。さらに、ステップ６ｈで圧縮された画像情報の、小画面情報記憶手段への記憶が実行される。さらに、抽出された画像に関連する音声が、ステップ６ｉで圧縮されて小画面情報記憶手段へ記憶される。
【００３１】
次に、ステップ６ｊで小画面情報記憶手段から情報の読出しが行なわれ、ステップ６ｋで全ての小画面情報を画面表示し、ステップ６ｌでユーザが所望の小画面情報をカーソルで選択する。さらに、ステップ６ｍで選択された小画面情報の次の小画面情報まで、音声を再生し、ステップ６ｎで終了となる。
【００３２】
なお、以上の説明では、番組時間情報をユーザが入力部から入力するように構成したものとして説明したが、番組がデジタル放送で提供されるものであれば、放送信号中に、番組の放送開始時刻、放送終了時刻等の番組の構成を表す情報が付加情報として多重伝送されるため、その付加情報から得るように構成することが可能である。
【００３３】
以上のように本発明によれば、映像／音声記録手段に記録された番組の映像信号を所定のタイミングで区切って抽出し、それを圧縮して、１表示画面に複数のシーンの映像が表示されるように構成すると共に、各シーンに対応した音声信号を再生して出力するように構成したので、映像／音声記録手段に記録された番組の内容を簡単に素早く確認することができるようになるものである。
【００３４】
【発明の効果】
以上のように、本発明によれば、記録された番組を所定時間間隔で区切って、各所定期間の映像を抽出して小画面情報に圧縮して記憶手段に記憶し、それを読出して一画面に複数の小画面情報が表示されるように構成するとともに、各小画面情報に対応した音声を再生するようにしたので、短時間で確実に記録された番組の内容を確認するとこができるようになるものである。
【図面の簡単な説明】
【図１】本発明に係る、放送番組記録再生装置の一実施の形態を示すブロック図。
【図２】図１に示す装置の動作を説明するための図。
【図３】図１に示す装置の動作を説明するための図。
【図４】図１に示す装置の動作を説明するためのフローチャート。
【図５】本発明に係る放送番組記録再生装置の他の実施の形態を示すブロック図。
【図６】図５に示す装置の動作を説明するためのフローチャート。
【符号の説明】
１０，５０…記録再生装置
１１…音声信号入力端子
１２…映像信号入力端子
１３…映像／音声記録手段
１４…書込み／読出し制御手段
１５，５２…入力手段
１６，５１…制御部
１７…表示選択手段
１８…再生モニタ
１９…音声選択手段
２０…画像キャプチャ／圧縮手段
２１…小画面情報記憶手段
２２…番組放送時間／枚数設定手段
２３…音声圧縮手段
【図１】
2004064581.tif 000003
【図２】
2004064581.tif 000004
【図３】
2004064581.tif 000005
【図４】
2004064581.tif 000006
【図５】
2004064581.tif 000007
【図６】
2004064581.tif 000008